(57)【要約】      （修正有）【課題】製造が困難であった左右に長尺の蒸発器を容易に形成できる技術を提供する。そして、左右に長尺の大型のオープンショーケースに、二酸化炭素等の超臨界域で使用する冷媒を用いる冷凍装置を適用することも容易となり、地球環境への悪影響を規制するオープンショーケースの大型化に適した冷凍装置とすることができる蒸発器を提供する。【解決手段】中間にＵ字状屈曲部を形成するヘアピン状冷媒パイプと、左右の管板と、左右の管板間に並行に所定の間隔で配置された多数のフィンを備え、直線状管部が左右の管板とフィンを略直角に貫通して一方の側面に直線状管部の開口端部が位置して単位蒸発器を構成し、単位蒸発器の一組が左右に配置され、左右の単位蒸発器のそれぞれの直線状管部の開口端部相互の接続によって、左右の単位蒸発器が一連の蛇行状冷媒パイプを形成すること。【選択図】図２
2010230259.tif 000002
【特許請求の範囲】
【請求項１】
一本の単位冷媒パイプを中間にＵ字状屈曲部を形成するように屈曲にて略平行な直線状管部を形成したヘアピン状冷媒パイプと、左右の管板と、前記左右の管板間に前記左右の管板に並行に所定の間隔で配置された多数のフィンを備え、前記直線状管部が前記左右の管板と前記フィンを略直角に貫通して一方の側面に前記直線状管部の開口端部が位置して単位蒸発器を構成し、前記単位蒸発器の一組が左右に配置され、前記左右の単位蒸発器のそれぞれの前記直線状管部の開口端部相互の接続によって、左右の前記単位蒸発器が一連の蛇行状冷媒パイプを形成することを特徴とする蒸発器。
【請求項２】
一本の単位冷媒パイプを中間にＵ字状屈曲部を形成するように屈曲にて略平行な直線状管部を形成したヘアピン状冷媒パイプと、左右の管板と、前記左右の管板間に前記左右の管板に並行に所定の間隔で配置された多数のフィンを備え、前記直線状管部が前記左右の管板と前記フィンを略直角に貫通して一方の側面に前記直線状管部の開口端部が位置して単位蒸発器を構成し、
前記単位蒸発器の一組が左右に配置され、
前記左右の単位蒸発器の一方の前記単位蒸発器の一端部側の直線状管部を入口側直線状管部とし他端部側の直線状管部を出口側直線状管部とするように、左右の前記単位蒸発器のその他の前記直線状管部の開口端部相互の接続によって、前記入口側直線状管部から前記出口側直線状管部に至る一連の蛇行状冷媒パイプが左右の前記単位蒸発器に亘って形成されたことを特徴とする蒸発器。
【請求項３】
一本の単位冷媒パイプを中間にＵ字状屈曲部を形成するように屈曲にて略平行な直線状管部を形成したヘアピン状冷媒パイプと、左右の管板と、前記左右の管板間に前記左右の管板に並行に所定の間隔で配置された多数のフィンを備え、前記直線状管部が前記左右の管板と前記フィンを略直角に貫通して一方の側面に前記直線状管部の開口端部が位置して単位蒸発器を構成し、
前記単位蒸発器の一組が左右に配置され、
前記左右の単位蒸発器の一方の前記単位蒸発器の一端部側の直線状管部を入口側直線状管部とし他端部側の直線状管部を出口側直線状管部とし、
他方の前記単位蒸発器の一端部側の直線状管部の開口端部と他端部側の直線状管部の開口端部とが前記一方の単位蒸発器の中間部の前記直線状管部の開口端部にそれぞれ接続され、
前記一方の前記単位蒸発器のその他の前記直線状管部の開口端部がＵ字状連結管によって接続され、
前記他方の前記単位蒸発器のその他の前記直線状管部の開口端部がＵ字状連結管によって接続され、
前記入口側直線状管部から前記出口側直線状管部に至る一連の蛇行状冷媒パイプが左右の前記単位蒸発器に亘って形成されたことを特徴とする蒸発器。
【請求項４】
請求項１乃至請求項３のいずれかの蒸発器の前記左右の単位蒸発器がオープンショーケース内に左右配置され、前記左右の単位蒸発器の前記フィンに沿って前記オープンショーケース内の空気を循環させる送風機が前記左右の単位蒸発器に対応して配置されたことを特徴とするオープンショーケース。
【発明の詳細な説明】
【技術分野】
【０００１】
本発明は、フィンチューブ式の長尺蒸発器に関し、特に、左右方向に長尺のショーケースに適したフィンチューブ式の蒸発器に関する。
【背景技術】
【０００２】
複数段の食品載置棚を設けた食品貯蔵室の背部の冷気通路に蒸発器を縦方向に設置し、蒸発器で冷却した冷気を送風機によって食品貯蔵室へ循環するオープンショーケースは、特許文献１等によって公知である。この場合の蒸発器は、一般的に、略平行配列された多数のフィンを略直角に冷媒パイプが貫通したフィンチューブ式のものが採用される。
【０００３】
このようなフィンチューブ式の蒸発器の製造は、特許文献２及び特許文献３等によって公知である。図７に示すように、フィンチューブ式の蒸発器２０は、一本の単位冷媒パイプを中間にＵ字状屈曲部２２を形成するように屈曲して略平行な直線状管部２３（以下、直管部２３という）を形成したヘアピン状冷媒パイプ２１（以下、ヘアピン管２１という）と、固定用の左右の管板２６と、フィン２４を多数準備し、左右の管板２６と左右の管板２６間に所定の間隔で略平行に配置した多数のフィン２４とを、ヘアピン管２１の直管部２３が略直角に貫通する関係に、左右の管板２６とフィン２４と直管部２３を組み合わせ、この状態で、直管部２３の開口端部から拡管装置によってマンドレル２５を圧入して、直管部２３の直径を拡大する（これを拡管という）ことにより、直管部２３にフィン２４が密着する。その後、図８に示すように、隣り合う直管部２３の開口端部相互を溶接（ロウ付け）にて接続されるＵ字状連結管２７によって連結することにより、各ヘアピン管２１が、Ｕ字状屈曲部２２及びＵ字状連結管２７によって直列状に接続され、全体として一連の蛇行状冷媒パイプＲＰが形成される。そして、冷媒パイプＲＰの両端開口には、それぞれ冷媒の入口パイプ２８と出口パイプ２９が溶接（ロウ付け）にて接続され、蒸発器２０が形成される。
【０００４】
このように形成された蒸発器２０は、冷媒パイプＲＰの両端開口には、それぞれ冷媒の入口パイプ２８と出口パイプ２９が溶接（ロウ付け）にて接続され、オープンショーケースの背部の冷気通路に、フィン２４が略垂直な縦方向となるように、特許文献１の図１に示すように立った状態に設置され、これによって直管部２３が略水平状態となり、この状態で冷媒は、上部から下部に向けて蛇行する冷媒パイプＲＰ内を、上部から下部へ向けて流れるように、冷媒の入口パイプ２８と出口パイプ２９が、所定の冷凍サイクルを構成するよう配管接続される。
【先行技術文献】
【特許文献】
【０００５】
【特許文献１】特開２００１−２８０７８１号公報
【特許文献２】特開平１０−２３０３３４号公報
【特許文献３】特開２００６−２４２４２７号公報
【発明の概要】
【発明が解決しようとする課題】
【０００６】
オープンショーケースには種々の形態があるが、特に大型のオープンショーケースでは、食品貯蔵室の所定の冷却効果を得るためには、左右方向に３ｍ以上の長尺な蒸発器が採用される。この場合、図９に示すように、左右方向に長尺の単一の蒸発器２０を作ることができれば、２個のファン３０Ａ、３０Ｂによってフィン２４に沿った方向に送風することによって、蒸発器２０を通過した冷気を食品貯蔵室へ循環させることができる。しかし、上記のように、直管部２３の一端開口からマンドレル２５を圧入して、直管部２３にフィン２４を密着される方法では、このような３ｍ以上の長さに亘ってマンドレル２５を圧入するためには、特別な拡管装置を作れば可能であろうが、このような拡管装置は極めて高価なものとなる。また、このような長尺な蒸発器２０は、製造工程においても、またオープンショーケースへの組み込み作業においても、極めて扱い難く、作業性が悪く、製造設備も新たに作りかえる必要が生じる。
【０００７】
ところで、最近では、地球環境への悪影響を規制するために、フロン系の冷媒に代わって、二酸化炭素等の超臨界域で使用する冷媒を用いる冷凍装置がある。この場合、冷媒が一段目圧縮部と二段目圧縮部にて順次圧縮される所謂、二段圧縮機が採用され、冷凍サイクルを構成する冷媒配管も高圧に耐えられるように、冷媒パイプ２１も肉厚の厚いパイプが採用される。このため、上記のように、直管部２３の一端開口からマンドレル２５を圧入して、直管部２３Ａにフィン２４を密着される方法では、長尺の肉厚の厚い冷媒パイプ２１の拡管を行なうことは、極めて困難である。
【０００８】
本発明は、このような点に鑑み、製造が困難であった左右に長尺の蒸発器を容易に形成できる技術を提供する。そして、左右に長尺の大型のオープンショーケースに、二酸化炭素等の超臨界域で使用する冷媒を用いる冷凍装置を適用することも容易となり、地球環境への悪影響を規制するオープンショーケースの大型化に適した冷凍装置とすることができる蒸発器を提供する。
【課題を解決するための手段】
【０００９】
第１発明の蒸発器は、一本の単位冷媒パイプを中間にＵ字状屈曲部を形成するように屈曲にて略平行な直線状管部を形成したヘアピン状冷媒パイプと、左右の管板と、前記左右の管板間に前記左右の管板に並行に所定の間隔で配置された多数のフィンを備え、前記直線状管部が前記左右の管板と前記フィンを略直角に貫通して一方の側面に前記直線状管部の開口端部が位置して単位蒸発器を構成し、前記単位蒸発器の一組が左右に配置され、前記左右の単位蒸発器のそれぞれの前記直線状管部の開口端部相互の接続によって、左右の前記単位蒸発器が一連の蛇行状冷媒パイプを形成することを特徴とする。
【００１０】
第２発明の蒸発器は、一本の単位冷媒パイプを中間にＵ字状屈曲部を形成するように屈曲にて略平行な直線状管部を形成したヘアピン状冷媒パイプと、左右の管板と、前記左右の管板間に前記左右の管板に並行に所定の間隔で配置された多数のフィンを備え、前記直線状管部が前記左右の管板と前記フィンを略直角に貫通して一方の側面に前記直線状管部の開口端部が位置して単位蒸発器を構成し、
前記単位蒸発器の一組が左右に配置され、
前記左右の単位蒸発器の一方の前記単位蒸発器の一端部側の直線状管部を入口側直線状管部とし他端部側の直線状管部を出口側直線状管部とするように、左右の前記単位蒸発器のその他の前記直線状管部の開口端部相互の接続によって、前記入口側直線状管部から前記出口側直線状管部に至る一連の蛇行状冷媒パイプが左右の前記単位蒸発器に亘って形成されたことを特徴とする。
【００１１】
第３発明の蒸発器は、一本の単位冷媒パイプを中間にＵ字状屈曲部を形成するように屈曲にて略平行な直線状管部を形成したヘアピン状冷媒パイプと、左右の管板と、前記左右の管板間に前記左右の管板に並行に所定の間隔で配置された多数のフィンを備え、前記直線状管部が前記左右の管板と前記フィンを略直角に貫通して一方の側面に前記直線状管部の開口端部が位置して単位蒸発器を構成し、
前記単位蒸発器の一組が左右に配置され、
前記左右の単位蒸発器の一方の前記単位蒸発器の一端部側の直線状管部を入口側直線状管部とし他端部側の直線状管部を出口側直線状管部とし、
他方の前記単位蒸発器の一端部側の直線状管部の開口端部と他端部側の直線状管部の開口端部とが前記一方の単位蒸発器の中間部の前記直線状管部の開口端部にそれぞれ接続され、
前記一方の前記単位蒸発器のその他の前記直線状管部の開口端部がＵ字状連結管によって接続され、
前記他方の前記単位蒸発器のその他の前記直線状管部の開口端部がＵ字状連結管によって接続され、
前記入口側直線状管部から前記出口側直線状管部に至る一連の蛇行状冷媒パイプが左右の前記単位蒸発器に亘って形成されたことを特徴とする。
【００１２】
第４発明は、第１発明乃至第３発明のいずれかの蒸発器の前記左右の単位蒸発器がオープンショーケース内に左右配置され、前記左右の単位蒸発器の前記フィンに沿って前記オープンショーケース内の空気を循環させる送風機が前記左右の単位蒸発器に対応して配置されたことを特徴とするオープンショーケース。
【発明の効果】
【００１３】
本発明によって、左右の単位蒸発器に亘って一連の蛇行状冷媒パイプが形成されるため、製造が困難であった左右に長尺の蒸発器を容易に形成できるものとなる。このため、二酸化炭素等の超臨界域で使用する冷媒を用いる冷凍装置の蒸発器として、本発明の蒸発器が適用できるため、本発明によって形成される蒸発器を左右に長尺の大型のオープンショーケースに組み込むことによって、地球環境への悪影響を規制するオープンショーケースの大型化に適した冷凍装置とすることができる。
【００１４】
また、左右の単位蒸発器のＵ字状屈曲部２２が左右両側に位置する状態で、左右の単位蒸発器の直線状管部の開口端部を接続する形態を採れば、冷媒の入口と出口の位置が、一方の単位蒸発器に形成される形態と、一方の単位蒸発器から冷媒の入口が形成され他方の単位蒸発器の冷媒の出口が形成されるか、いずれの形態にもできるものとなり、冷凍サイクルを構成する冷媒配管の接続状態に合わせることができるものとなる。
【００１５】
また、第３発明の蒸発器では、左右の単位蒸発器を接続するための作業として、左右の単位蒸発器を並べて溶接する箇所が少なくなるため、作業性が向上したものとなる。
【図面の簡単な説明】
【００１６】
【図１】本発明に係る蒸発器を構成する単位蒸発器の説明図である。
【図２】本発明に係る蒸発器の第１の形態図である。
【図３】本発明に係る蒸発器を備えたオープンショーケースの内部説明用の概略縦断面図である。
【図４】本発明に係る蒸発器の第２の形態図である。
【図５】本発明に係る蒸発器の第３の形態図である。
【図６】本発明に係る蒸発器の第４の形態図である。
【図７】従来の蒸発器の冷媒パイプの直管部を拡管装置によって拡管する状態の説明図である。
【図８】図７による拡管後に形成された従来の蒸発器の説明図である。
【図９】左右方向に長尺の従来の蒸発器の説明図である。
【発明を実施するための形態】
【００１７】
本発明の蒸発器の特徴ある形態は、一本の単位冷媒パイプを中間にＵ字状屈曲部を形成するように屈曲にて略平行な直線状管部（直管部ともいう）を形成したヘアピン状冷媒パイプ（ヘアピン管ともいう）と、左右の管板と、前記左右の管板間に前記左右の管板に並行に所定の間隔で配置された多数のフィンを備え、前記直線状管部が前記左右の管板と前記フィンを略直角に貫通して一方の側面に前記直線状管部の開口端部が位置して単位蒸発器を構成し、前記単位蒸発器の一組が左右に配置され、前記左右の単位蒸発器のそれぞれの前記直線状管部の開口端部相互の接続によって、左右の前記単位蒸発器が一連の蛇行状冷媒パイプを形成した構成である。
【００１８】
そして、前記蒸発器の前記左右の単位蒸発器がショーケース内に左右配置され、前記左右の単位蒸発器の前記フィンに沿って前記ショーケース内の空気を循環させる送風機が前記左右の単位蒸発器に対応して配置されたショーケースを提供できる。
【実施例１】
【００１９】
以下、本発明の蒸発器１を左右に長尺のショーケースＳＨに適用する場合について記載することとする。この場合、ショーケースＳＨは、スーパーマーケット等の店内に設置される左右に長尺のオープンショーケースＳＨとして説明する。このオープンショーケースＳＨは、図３に示すように、冷凍サイクルによって食品貯蔵室１１内を冷却する構成である。この冷凍サイクルは、圧縮機で圧縮した冷媒が放熱器によって放熱した後、減圧器にて減圧され蒸発器１で蒸発し、再び圧縮機へ帰還する循環を行う。蒸発器１は、図３に実線で示すように、仕切り壁１２によって食品貯蔵室１１と区画された領域１３（冷却室または冷気通路ともいう）の底面部分に収容されるか、または図３に点線で示すように、仕切り壁１２によって食品貯蔵室１１と区画された領域１３の背面部分に収容される。食品貯蔵室１１内の空気は、ファン１０によって蒸発器１を通過させる循環が行われ、蒸発器１で冷却された冷気が、図３に実線矢印で示すように循環して、食品貯蔵室１１内が所定温度に冷却される。
【００２０】
この冷凍サイクルのうちの前記圧縮機と放熱器を含む高温部（これをコンデンシングユニットと称する）は、スーパーマーケット等の店外に設置され、オープンショーケースＳＨ内には低温部の蒸発器１とファン１０が収容される別置式と称する形態が採用される。別置式が採用される理由は、複数のオープンショーケースＳＨに収容された蒸発器１を単一のコンデンシングユニットに接続するためである。
【００２１】
本発明に係る蒸発器１は、左右の単位蒸発器１Ａ、１Ｂの組み合わせによって構成されている。この単位蒸発器１Ａ、１Ｂは、同一の大きさがであってもよく、また異なる大きさであってもよい。単位蒸発器１Ａ、１Ｂの基本形態を図１に示されている。図１において、単位蒸発器１Ａ、１Ｂは、それぞれ一本の単位冷媒パイプを中間にＵ字状屈曲部２Ａを形成するように屈曲にて略平行な直線状管部３（直管部３ともいう）を形成したヘアピン状冷媒パイプ２（ヘアピン管２ともいう）と、左右の管板６と、左右の管板６間に左右の管板６に並行に所定の間隔で配置された多数のフィン４を備え、直線状管部３が左右の管板６とフィン４を略直角に貫通して一方の側面に直線状管部３の開口端部３Ａが位置した構成である。なお、直線状管部３が左右の管板６と左右の管板６間に多数のフィン４を略直角に貫通した状態において、上記従来技術同様に、直線状管部３のそれぞれの開口端部３Ａからマンドレルを圧入する拡管工程によって、直線状管部３にフィン４が密着する作業が行われる。
【００２２】
図２に本発明の蒸発器１の第１の形態を示している。単位蒸発器１Ａ、１Ｂの基本形態は、上記図１に示すように構成されるが、単位蒸発器１Ａ、１Ｂは、ヘアピン状冷媒パイプ２の数が同じであって、同じピッチ（間隔）に配列されておればよく、左右方向の長さが異なるものであってもよい。図２に示す蒸発器１は、単位蒸発器１Ａ、１Ｂが同一のものを採用したものである。
【００２３】
図２に示すように、単位蒸発器１Ａ、１Ｂは、それぞれの直線状管部３の開口端部３Ａが１本ずれた状態で向き合うように左右に配置され、一方の単位蒸発器（図では左側配置の単位蒸発器１Ａ）の空気の出口側となる一端部側の１本の直線状管部３Ｐと、他方の単位蒸発器（図では右側配置の単位蒸発器１Ｂ）の空気の流入側となる他端部側の１本の直線状管部３Ｑとを残して、他の向き合った直線状管部３の開口端部３Ａ相互が、直線状の連結管５によって接続される。この接続は、開口端部３Ａと連結管５がロウ付けと称する溶接によって行われる。このようにして、左右の単位蒸発器１Ａ、１Ｂのヘアピン状冷媒パイプ２が、直線状管部３Ｐから直線状管部３Ｑに至る一連の蛇行状冷媒パイプＲＰを形成した蒸発器１が構成される。
【００２４】
このように形成された蒸発器１は、図３に示すように、オープンショーケースＳＨ内の仕切り壁１２によって食品貯蔵室１１から区画された領域の底面部または背面部に収容され、直線状管部３Ｐと直線状管部３Ｑは、それぞれ所定の冷凍サイクルを構成するよう配管接続される。
【００２５】
この場合、蒸発器１は、冷媒の入り口側が空気の出口側に位置し、冷媒の出口側が空気の入り口側に位置するように配置される。この具体的配置を図２に基づき説明する。図２において、左右配置の単位蒸発器１Ａ、１Ｂに対してそれぞれファン１０が配置される。また、左側の単位蒸発器１Ａの直線状管部３のうち、最も空気の出口側寄りとなる直線状管部３Ｐが冷媒の入り口側となり、右側の単位蒸発器１Ｂの直線状管部３のうち、最も空気の入り口側寄りとなる直線状管部３Ｑが冷媒の出口側となるように、直線状管部３Ｐに冷媒の入り口パイプＰ１が接続され、また直線状管部３Ｑに冷媒の出口パイプＰ２が接続されることによって、直線状管部３Ｐから直線状管部３Ｑに至る一連の蛇行状冷媒パイプＲＰを形成した冷凍サイクルの蒸発器１を構成する。そして、蒸発器１の冷媒の出口側となる直線状管部３Ｑが、ファン１０によって循環される空気の入り口側に配置され、冷媒の入り口側となる直線状管部３Ｐが蒸発器１の空気の出口側となるように、オープンショーケースＳＨ内に配置される。
【００２６】
このような配置にする理由は、蒸発器１は冷媒の入り口側が出口側よりも低温になり易いので、冷媒の入り口側を空気の入り口側とすれば、蒸発器１の空気の入り口側に多量の霜が付着して冷気循環が悪くなり易い。蒸発器１の冷媒の出口側を空気の入り口側とすることによって、このような現象を少なくすることができるものとなる。
【００２７】
また、図２に示すように、左右配置の単位蒸発器１Ａ、１Ｂに対して少なくともそれぞれファン１０が配置されるが、冷却効果の向上のために、図２のファン１０、１０の中間部に更に１個のファンを配置してもよい。
【００２８】
図４に本発明の蒸発器１の第２の形態を示している。単位蒸発器１Ａ、１Ｂの基本形態は、上記図１に示すように構成されるが、図４に示す蒸発器１は、左右の単位蒸発器１Ａ、１Ｂの組み合わせによって構成されており、一方の単位蒸発器（図では左側の単位蒸発器１Ａ）が冷媒の入り口側と出口側となる連結構成である。即ち、図４に示すように、一方の単位蒸発器（図では左側の単位蒸発器１Ａ）の空気の出口側の１本の直線状管部３Ｐと空気の入り口側の１本の直線状管部３Ｑとを残して、他の向き合った直線状管部３の開口端部３Ａ相互が、開口端部３Ａにロウ付け溶接される直線状の連結管５によって接続され、左右の単位蒸発器１Ａ、１Ｂのヘアピン状冷媒パイプ２が、直線状管部３Ｐから直線状管部３Ｑに至る一連の蛇行状冷媒パイプＲＰを形成した蒸発器１が構成される。
【００２９】
このように形成された蒸発器１は、図３に示すように、オープンショーケースＳＨ内の仕切り壁１２によって食品貯蔵室１１から区画された領域の底面部または背面部に収容され、直線状管部３Ｐと直線状管部３Ｑは、それぞれ所定の冷凍サイクルを構成するよう配管接続される。
【００３０】
この場合、蒸発器１は、冷媒の入り口側が空気の出口側に位置し、冷媒の出口側が空気の入り口側に位置するように配置される。この具体的配置は、図４に示すように、左右配置の単位蒸発器１Ａ、１Ｂに対してそれぞれファン１０が配置される。また、左側の単位蒸発器１Ａの直線状管部３のうち、最も空気の出口側寄りとなる直線状管部３Ｐが冷媒の入り口側となり、左側の単位蒸発器１Ａの直線状管部３のうち、最も空気の入り口側寄りとなる直線状管部３Ｑが冷媒の出口側となるように、直線状管部３Ｐに冷媒の入り口パイプＰ１が接続され、また直線状管部３Ｑに冷媒の出口パイプＰ２が接続されることによって、直線状管部３Ｐから直線状管部３Ｑに至る一連の蛇行状冷媒パイプＲＰを形成した冷凍サイクルの蒸発器１を構成する。そして、蒸発器１の冷媒の出口側となる直線状管部３Ｑが、ファン１０によって循環される空気の入り口側となり、冷媒の入り口側となる直線状管部３Ｐが蒸発器１の空気の出口側となるように、オープンショーケースＳＨ内に配置される。
【００３１】
これから明らかなように、第２の形態の蒸発器１は、一方の単位蒸発器（図では左側の単位蒸発器１Ａ）に設けた冷媒の入り口側となる直線状管部３Ｐの冷媒入り口、及び冷媒の出口側となる直線状管部３Ｑの冷媒出口が、共に単位蒸発器１Ａ、１Ｂの連結側に位置する。
【００３２】
図５に本発明の蒸発器１の第３の形態を示している。単位蒸発器１Ａ、１Ｂの基本形態は、上記図１に示すように構成されるが、図５に示す蒸発器１は、左右の単位蒸発器１Ａ、１Ｂの組み合わせによって構成されており、一方の単位蒸発器（図では左側の単位蒸発器１Ａ）が冷媒の入り口側と冷媒の出口側となる連結構成である。図４に示す蒸発器１と異なるところは、一方の単位蒸発器（図では左側の単位蒸発器１Ａ）に設けた冷媒の入り口側となる直線状管部３Ｐの冷媒入り口、及び冷媒の出口側となる直線状管部３Ｑの冷媒出口が、共に他方の単位蒸発器（図では右側の単位蒸発器１Ｂ）の反対側（単位蒸発器１ＡのＵ字状屈曲部２Ａ側）に位置することである。
【００３３】
このため、図５に示すように、一方の単位蒸発器（図では左側の単位蒸発器１Ａ）の空気の出口側の１本の直線状管部３Ｐと空気の入り口側の１本の直線状管部３Ｑを含めて、向き合った直線状管部３の開口端部３Ａ相互が、開口端部３Ａにロウ付け溶接される直線状の連結管５によって接続され、左右の単位蒸発器１Ａ、１Ｂのヘアピン状冷媒パイプ２が、直線状管部３Ｐから直線状管部３Ｑに至る一連の蛇行状冷媒パイプＲＰを形成した蒸発器１が構成される。
【００３４】
図５に示すように、左右配置の単位蒸発器１Ａ、１Ｂに対してそれぞれファン１０が配置される。また、左側の単位蒸発器１Ａの直線状管部３のうち、最も空気の出口側寄りとなる直線状管部３Ｐが冷媒の入り口側となり、左側の単位蒸発器１Ａの直線状管部３のうち、最も空気の入り口側寄りとなる直線状管部３Ｑが冷媒の出口側となるように、直線状管部３Ｐに冷媒の入り口パイプＰ１が接続され、また直線状管部３Ｑに冷媒の出口パイプＰ２が接続されることによって、直線状管部３Ｐから直線状管部３Ｑに至る一連の蛇行状冷媒パイプＲＰを形成した冷凍サイクルの蒸発器１を構成する。そして、蒸発器１の冷媒の出口側となる直線状管部３Ｑが、ファン１０によって循環される空気の入り口側となり、冷媒の入り口側となる直線状管部３Ｐが蒸発器１の空気の出口側となるように、オープンショーケースＳＨ内に配置される。
【００３５】
図６に本発明の蒸発器１の第４の形態を示している。単位蒸発器１Ａ、１Ｂの基本形態は、上記図１に示すように構成されるが、図６に示す蒸発器１は、左右の単位蒸発器１Ａ、１Ｂの組み合わせによって構成されており、一方の単位蒸発器（図では左側の単位蒸発器１Ａ）が冷媒の入り口側と冷媒の出口側となる連結構成であり、一方の単位蒸発器（図では左側の単位蒸発器１Ａ）に、冷媒の入り口側となる直線状管部３Ｐと冷媒の出口側となる直線状管部３Ｑが設けられ、直線状管部３Ｐから流入した冷媒が、一方の単位蒸発器（図では左側の単位蒸発器１Ａ）の略半分（空気の流れの後半部領域）を流れた後、他方の単位蒸発器（図では右側の単位蒸発器１Ｂ）の蛇行状冷媒パイプＲＰを流れ、再び一方の単位蒸発器（図では左側の単位蒸発器１Ａ）の残りの部分（空気の流れの前半部領域）を流れて、直線状管部３Ｑから流出するように構成されている。
【００３６】
これを図６に基づき説明する。直線状管部３Ｐを形成するヘアピン状冷媒パイプ２とその隣のヘアピン状冷媒パイプ２とは、その開口端部３Ａ相互が開口端部３Ａにロウ付け溶接されるＵ字状連結管７によって直列状に接続される関係によって、一連の蛇行状冷媒パイプＲＰ１が左側の単位蒸発器１Ａの略半分に形成される。また、直線状管部３Ｑを形成するヘアピン状冷媒パイプ２とその隣のヘアピン状冷媒パイプ２とは、その開口端部３Ａ相互が開口端部３Ａにロウ付け溶接されるＵ字状連結管７によって直列状に接続される関係によって、一連の蛇行状冷媒パイプＲＰ２が左側の単位蒸発器１Ａの残りの部分に形成される。
【００３７】
また、他方の単位蒸発器（図では右側の単位蒸発器１Ｂ）には、冷媒入り口となる最も空気の出口側寄りの直線状管部３Ｐ１と、冷媒出口となる最も空気の入り口側寄りの直線状管部３Ｐ２を除いて、隣り合うヘアピン状冷媒パイプ２の開口端部３Ａ相互が開口端部３Ａにロウ付け溶接されるＵ字状連結管７によって直列状に接続される関係によって、一連の蛇行状冷媒パイプＲＰ３が形成される。
【００３８】
このように構成された単位蒸発器１Ａ、１Ｂは、蛇行状冷媒パイプＲＰ１の冷媒出口ＲＰ１１と単位蒸発器１Ｂの直線状管部３Ｐ１の開口端部３Ａとを、そこにロウ付け溶接される連結管８によって接続し、また、蛇行状冷媒パイプＲＰ２の冷媒入り口ＲＰ２２と単位蒸発器１Ｂの直線状管部３Ｐ２の開口端部３Ａとを、そこにロウ付け溶接される連結管８によって接続する。
【００３９】
これによって、直線状管部３Ｐから直線状管部３Ｑに至る一連の蛇行状冷媒パイプＲＰが形成されることとなる。図６に示すように、左右配置の単位蒸発器１Ａ、１Ｂに対してそれぞれファン１０が配置され、蒸発器１の冷媒の出口側となる直線状管部３Ｑが、ファン１０によって循環される空気の入り口側となり、冷媒の入り口側となる直線状管部３Ｐ、３Ｐ1が蒸発器１の空気の出口側となるように、オープンショーケースＳＨ内に配置される。
【００４０】
上記のように、図２、図４、図５に示す蒸発器１は、一本の単位冷媒パイプを中間にＵ字状屈曲部２Ａを形成するように屈曲にて略平行な直線状管部３を形成したヘアピン状冷媒パイプ２と、左右の管板６と、左右の管板６間に左右の管板６に並行に所定の間隔で配置された多数のフィン４を備え、直線状管部３が左右の管板６とフィン４を略直角に貫通して一方の側面に直線状管部３の開口端部が位置して単位蒸発器を構成し、この単位蒸発器の一組１Ａ、１Ｂが左右に配置され、左右の単位蒸発器１Ａ、１Ｂのそれぞれの直線状管部３の開口端部３Ａ相互の接続によって、左右の単位蒸発器１Ａ、１Ｂが一連の蛇行状冷媒パイプＲＰを形成している。そして、左右の単位蒸発器１Ａ、１Ｂがオープンショーケース内に左右配置され、左右の単位蒸発器１Ａ、１Ｂのフィンに沿ってオープンショーケース内の空気を循環させる送風機１０が、左右の単位蒸発器１Ａ、１Ｂに対応して配置されている。
【００４１】
これによって、製造が困難であった左右に長尺の蒸発器を容易に形成できるものとなる。このため、左右に長尺の大型のオープンショーケースに、二酸化炭素等の超臨界域で使用する冷媒を用いる冷凍装置を適用することが容易となり、地球環境への悪影響を規制するオープンショーケースの大型化に適した冷凍装置とすることができる。
【００４２】
また、左右の単位蒸発器１Ａ、１ＢのＵ字状屈曲部２Ａが左右両側に位置する状態で、左右の単位蒸発器１Ａ、１Ｂの直線状管部３の開口端部３Ａを接続する形態を採れば、冷媒の入口と出口の位置が、一方の単位蒸発器に形成される形態と、一方の単位蒸発器から冷媒の入口が形成され他方の単位蒸発器の冷媒の出口が形成されるか、いずれの形態にもできるものとなり、冷凍サイクルを構成する冷媒配管の接続状態に合わせることができるものとなる。
【００４３】
また、図６に示す蒸発器１は、冷媒の流れが若干複雑であるが、図２、図４、図５に示す蒸発器１と同様に、左右の単位蒸発器１Ａ、１Ｂがオープンショーケース内に左右配置された構成とすれば、製造が困難であった左右に長尺の蒸発器を容易に形成できるものとなる。そして、左右に長尺の大型のオープンショーケースに、二酸化炭素等の超臨界域で使用する冷媒を用いる冷凍装置を適用することが容易となり、地球環境への悪影響を規制するオープンショーケースの大型化に適した冷凍装置とすることができる効果を奏するものとなる。
【産業上の利用可能性】
【００４４】
本発明に係る蒸発器並びショーケースは、上記実施例に示した構成に限定されず、本発明の技術範囲において種々の形態を包含するものである。
【符号の説明】
【００４５】
１・・・・・蒸発器
１Ａ・・・・単位蒸発器
１Ｂ・・・・単位蒸発器
２・・・・・ヘアピン状冷媒パイプ（ヘアピン管）
２Ａ・・・・Ｕ字状屈曲部
３・・・・・直線状管部
３Ａ・・・・開口端部
３Ｐ・・・・直線状管部
３Ｐ１・・・空気の出口側寄りの直線状管部
３Ｐ２・・・空気の入り口側寄りの直線状管部
３Ｑ・・・・直線状管部
４・・・・・フィン
５・・・・・連結管
６・・・・・管板
７・・・・・Ｕ字状連結管
８・・・・・連結管
１０・・・・ファン
１１・・・・食品貯蔵室
１２・・・・仕切り壁
１３・・・・食品貯蔵室１１と区画された領域（冷却室または冷気通路ともいう）
ＲＰ・・・・蛇行状冷媒パイプ
ＲＰ１・・・蛇行状冷媒パイプ
ＲＰ１１・・冷媒出口
ＲＰ２・・・蛇行状冷媒パイプ
ＲＰ３・・・蛇行状冷媒パイプ
ＲＰ４・・・蛇行状冷媒パイプ
ＲＰ５・・・蛇行状冷媒パイプ
ＲＰ２２・・冷媒入り口
Ｐ１・・・・入り口パイプ
Ｐ２・・・・出口パイプ
ＳＨ・・・・ショーケース（オープンショーケース）
【図１】
2010230259.tif 000003
【図２】
2010230259.tif 000004
【図３】
2010230259.tif 000005
【図４】
2010230259.tif 000006
【図５】
2010230259.tif 000007
【図６】
2010230259.tif 000008
【図７】
2010230259.tif 000009
【図８】
2010230259.tif 000010
【図９】
2010230259.tif 000011